(57)【特許請求の範囲】
【請求項１】
箱体をブラケットに固定するための箱体固定構造であって、
前記ブラケットが、ブラケット側第１係合部と、ブラケット側第２係合部と、を備え、
前記箱体が、前記ブラケット側第１係合部と係合方向に係合する箱体側第１係合部と、前記係合方向に前記ブラケット側第２係合部と係合する箱体側第２係合部と、を備え、
前記ブラケット側第１係合部と前記箱体側第１係合部とが面接触した位置と、前記ブラケット側第２係合部と前記箱体側第２係合部とが面接触した位置とが、縦方向に上下にずれるとともに横方向に左右にずれて段差状になっており、
前記係合方向が前記縦方向のうちの前記箱体から下方に向う方向であり、
前記箱体側第１係合部が、孔を有し、
前記ブラケット側第１係合部が、前記箱体側第１係合部の孔に挿入および係合するために、前記係合方向とは反対の方向に突出したねじ軸部を有し、
前記箱体側第２係合部が、前記係合方向に突出したボスを有し、
前記ブラケット側第２係合部が、前記ボスを受け入れるための孔を有し、
係合した前記ブラケット側第１係合部および前記箱体側第１係合部が、係合した前記ブラケット側第２係合部および前記箱体側第２係合部よりも上に配置されているとともに、前記ねじ軸部が前記箱体側第１係合部の孔を通って当該箱体側第１係合部から上方に突出しており、
前記ボスの突出高さが前記ねじ軸部の突出高さよりも小さく、そして
前記箱体側第１係合部の孔に前記ねじ軸部が挿入された後、前記ボスが前記ブラケット側第２係合部の孔に差し込まれ、前記ブラケット側第２係合部の孔に前記箱体側第２係合部のボスが差し込まれた後、前記ねじ軸部にナットが螺合して締め付けられることにより前記箱体が前記ブラケットに固定されることを特徴とする箱体固定構造。
【請求項２】
前記ボスの先端部にロック用つば部が形成されており、そして
前記ボスのロック用つば部が、前記ブラケット側第２係合部の孔に差し込まれ且つ、前記ブラケット側第２係合部の孔を画成する前記ブラケット側第２係合部の周辺部分の下面に係止されることを特徴とする請求項１に記載した箱体固定構造。
【発明の詳細な説明】
【技術分野】
【０００１】
本発明は、例えば自動車等といった車両に用いられ且つ例えばリレー、ヒューズ、等の電気部品を収容するリレー・ボックス、ヒューズ・ボックス、等といった電気接続箱（即ち、エレクトリック・ジャンクション・ブロック）のような箱体に係り、特に、そのような電気部品収納用の箱体を例えば車両の車体パネル等といった被取付体のブラケットに固定するための箱体固定構造に関する。
【背景技術】
【０００２】
従来の箱体固定構造の一例として、箱体を例えば自動車のエンジンルームの内壁等の立面部に固定する構造が知られている（例えば、特許文献１参照）。当該箱体固定構造では、箱体を上から立面部へ固定する際に、箱体の上端部から張り出された２つの係合腕部が、それらの下面から垂下された係合突起と立面部の係合孔との係合、そして更には箱体の固定腕部と立面部の固定孔との係合を目視確認する上で、邪魔となり、よって取付作業性が良好とは言えず、場合によっては立面部への箱体の固定が不完全なものとなる可能性がある。その上、この箱体固定構造では、ガタツキを効果的に抑制できるボルトおよびナットを用いた立面部への箱体の固定を前提としないので、耐振性の向上が望まれる。
【０００３】
【特許文献１】特開２００３−２９９２２５号公報
【発明の開示】
【発明が解決しようとする課題】
【０００４】
本発明は、上述した事情に鑑みてなされたものであり、その目的は、簡単な作業で確実な固定を実現できる箱体固定構造を提供することにある。
【課題を解決するための手段】
【０００５】
前述した目的を達成するため、本発明に係る箱体固定構造は、下記（１）〜（３）を特徴としている。
（１）  箱体をブラケットに固定するための箱体固定構造であって、
前記ブラケットが、ブラケット側第１係合部と、ブラケット側第２係合部と、を備え、
前記箱体が、前記ブラケット側第１係合部と係合方向に係合する箱体側第１係合部と、前記係合方向に前記ブラケット側第２係合部と係合する箱体側第２係合部と、を備え、
前記ブラケット側第１係合部と前記箱体側第１係合部とが面接触した位置と、前記ブラケット側第２係合部と前記箱体側第２係合部とが面接触した位置とが、縦方向に上下にずれるとともに横方向に左右にずれて段差状になっており、
前記係合方向が前記縦方向のうちの前記箱体から下方に向う方向であり、
前記箱体側第１係合部が、孔を有し、
前記ブラケット側第１係合部が、前記箱体側第１係合部の孔に挿入および係合するために、前記係合方向とは反対の方向に突出したねじ軸部を有し、
前記箱体側第２係合部が、前記係合方向に突出したボスを有し、
前記ブラケット側第２係合部が、前記ボスを受け入れるための孔を有し、
係合した前記ブラケット側第１係合部および前記箱体側第１係合部が、係合した前記ブラケット側第２係合部および前記箱体側第２係合部よりも上に配置されているとともに、前記ねじ軸部が前記箱体側第１係合部の孔を通って当該箱体側第１係合部から上方に突出しており、
前記ボスの突出高さが前記ねじ軸部の突出高さよりも小さく、そして
前記箱体側第１係合部の孔に前記ねじ軸部が挿入された後、前記ボスが前記ブラケット側第２係合部の孔に差し込まれ、前記ブラケット側第２係合部の孔に前記箱体側第２係合部のボスが差し込まれた後、前記ねじ軸部にナットが螺合して締め付けられることにより前記箱体が前記ブラケットに固定されること。
（２）  上記（１）の構成の箱体固定構造において、
前記ボスの先端部にロック用つば部が形成されており、そして
前記ボスのロック用つば部が、前記ブラケット側第２係合部の孔に差し込まれ且つ、前記ブラケット側第２係合部の孔を画成する前記ブラケット側第２係合部の周辺部分の下面に係止されること。
【０００６】
上記（１）の構成の箱体固定構造では、ブラケットが、ブラケット側第１係合部と、ブラケット側第２係合部と、を備え、箱体が、ブラケット側第１係合部と係合方向に係合する箱体側第１係合部と、前述した係合方向にブラケット側第２係合部と係合する箱体側第２係合部と、を備え、そしてブラケット側第１係合部と箱体側第１係合部とが面接触した位置と、ブラケット側第２係合部と箱体側第２係合部とが面接触した位置とが、縦方向に上下にずれるとともに横方向に左右にずれて段差状になっており、箱体が、上下左右にずれた２箇所でブラケットにより支持され、これにより縦方向と横方向の動きを抑制されるので、ブラケットによる箱体の確実な固定を実現することができるとともに、箱体が単一の係合方向にブラケットに組み付けられるので、作業性が良好である。また、上記（１）の構成の箱体固定構造では、上述の係合方向が箱体から下方に向う方向であるので、箱体を上から見ながらでもブラケットに取り付け易い。また、上述の係合方向を箱体の重力方向に設定すれば、単純に落とし込むだけの箱体の組付けを行なうこともできる。また、上記（１）の構成の箱体固定構造では、互いに平行に延長するねじ軸部とボスを箱体側第１係合部の孔とブラケット側第２係合部の孔にそれぞれ挿入することによりブラケット側第１係合部と箱体側第１係合部とが係合されるとともにブラケット側第２係合部と箱体側第２係合部とが係合され、更にねじ軸部にナットを螺合させて締め付けることにより箱体がブラケットに固定されるので、簡単な作業で安定した固定を実現することができる。また、上記（１）の構成の箱体固定構造における箱体側第１係合部の孔を通って箱体側第１係合部から上方に突出したブラケット側第１係合部のねじ軸部には、ナットを螺合させ易くする作用がある。
また、上記（１）の構成の箱体固定構造のように、ねじ軸部の突出高さよりもボスの突出高さが小さければ、箱体側第１係合部の孔にねじ軸部を挿入した後、ボスをブラケット側第２係合部の孔に差し込み易い。
また、上記（２）の構成の箱体固定構造では、ボスの先端部にロック用つば部が形成されており、このボスのロック用つば部が、ブラケット側第２係合部の孔に差し込まれ且つ、ブラケット側第２係合部の孔を画成するブラケット側第２係合部の周辺部分の下面に係止されるので、ブラケットに対して箱体を仮固定することができる。よって、作業性を更に向上させることができる。尚、例えば、ボスのロック用つば部がブラケット側第２係合部に係止される際に例えば『カチッ。』という音がするように構成すれば、音によりロック確認ができる。また、ボスのロック用つば部をブラケット側第２係合部に係止した後、箱体を引っ張り上げてロック確認をしてもよい。
【発明の効果】
【０００７】
本発明によれば、簡単な作業で確実な固定を実現できる箱体固定構造を提供することができる。
【０００８】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【０００９】
以下、本発明に係る好適な実施形態を図面に基づいて詳細に説明する。
【００１０】
図１は本発明に係る箱体固定構造の一実施形態の分解斜視図、図２は図１に示した箱体固定構造の組付状態での縦断面図、図３は図１の箱体固定構造の変形例の分解斜視図、そして図４は図３に示した箱体固定構造の変形例の組付状態での縦断面図である。尚、図１〜図４では要部を見易くするため箱体の一部が破断して示されている。
【００１１】
図１〜図４に示されるように、本発明に係る箱体固定構造の一実施形態ならびにその変形例は、いずれも、箱体１０をブラケット３０に固定するための箱体固定構造である。
【００１２】
ブラケット３０は、ブラケット側第１係合部３２と、ブラケット側第２係合部３３と、を備える。箱体１０は、ブラケット側第１係合部３２と係合方向に係合する箱体側第１係合部１４と、前述した係合方向にブラケット側第２係合部３３と係合する箱体側第２係合部１５と、を備える。
【００１３】
ブラケット側第１係合部３２と箱体側第１係合部１４とが係合した位置と、ブラケット側第２係合部３３と箱体側第２係合部１５とが係合した位置とが、縦方向に上下にずれるとともに横方向に左右にずれて段差状になっている。
【００１４】
より詳細には、ブラケット側第１係合部３２と箱体側第１係合部１４とが面接触した位置と、ブラケット側第２係合部３３と箱体側第２係合部１５とが面接触した位置とが、縦方向に上下にずれるとともに横方向に左右にずれて段差状になっている。
【００１５】
上述の係合方向は縦方向にある。より詳細には、前述の係合方向は箱体１０から下方に向う方向である。
【００１６】
尚、係合したブラケット側第１係合部３２および箱体側第１係合部１４は、係合したブラケット側第２係合部３３および箱体側第２係合部１５よりも上に配置される。
【００１７】
箱体側第１係合部１４は、ねじ軸部挿入孔２０を有する。ブラケット側第１係合部３２は、箱体側第１係合部１４のねじ軸部挿入孔２０に挿入および係合するために、上述の係合方向とは反対の方向に突出したねじ軸部３５を有する。
【００１８】
箱体側第２係合部１５は、上述の係合方向に突出したボス２２を有する。ブラケット側第２係合部３３は、ボス２２を受け入れるためのボス挿入孔３６を有する。
【００１９】
本発明の箱体固定構造では、ブラケット側第１係合部３２のねじ軸部３５が箱体側第１係合部１４のねじ軸部挿入孔２０に差し込まれるとともにブラケット側第２係合部３３のボス挿入孔３６に箱体側第２係合部１５のボス２２が差し込まれた後、ねじ軸部３５にナットが螺合して締め付けられることにより箱体１０がブラケット３０に固定される。
【００２０】
このように構成された本発明の箱体固定構造の詳細について以下に説明する。
【００２１】
箱体１０は、合成樹脂製であって、端子を有する電気部品（不図示）が収納される箱体本体１１と、この箱体本体１１の上方開口部１２（図２，図４参照。）を閉塞する蓋１３と、を有する。
【００２２】
箱体本体１１の一側面の上側の中央部に箱体側第１係合部１４が形成されており、そして同じく箱体本体１１の一側面の下側の部分に箱体側第２係合部１５が形成されている。
【００２３】
箱体側第１係合部１４には、ブロック形状にして側方に張り出された第１張出部１６の上端部において、一対の側板１７，１７と、３個の中央リブ１８，１８，１８とによって支持された板部１９が水平方向に突出されており、この板部１９の中央部に、ねじ軸部挿入孔２０が上下に貫通して形成されている。
【００２４】
箱体側第１係合部１４から縦横方向に離れた位置に形成された箱体側第２係合部１５は、第１張出部１６の横方向に隣接して、三角錐形状に形成された第２張出部２１の下面に、下方に向けて突出したボス２２を有する。このように第１張出部１６と第２張出部２１とは箱本体１１の側部で横方向に繋げられている。
【００２５】
ブラケット３０は、合成樹脂製あるいは金属製であって、不図示の車体において垂直に配置されるブラケット本体３１の中央部に、水平方向に突出した支片状のブラケット側第１係合部３２を有するとともに、ブラケット本体３１の下端部に、ブラケット側第１係合部３２から縦横方向に離れた位置にブラケット側第１係合部３２と同様にして水平方向に突出した支片状のブラケット側第２係合部３３を有する。尚、ブラケット本体３１は、車体固定用のボルト孔３４を有する（より詳細には、ブラケット３０がボルト孔３４を介してボルトにより車体に固定される）。
【００２６】
ブラケット側第１係合部３２の中央部には、スタッドボルト状のねじ軸部３５がセレーション加締めにより固定されており、そしてブラケット側第２係合部３３の中央部には、ボス挿入孔３６が貫通形成されている。
【００２７】
図２に示されるように箱体１０をブラケット３０に固定するに際しては、箱体側第１係合部１４のねじ軸部挿入孔２０にブラケット側第１係合部３２のねじ軸部３５を挿入しながら箱体側第２係合部１５のボス２２をブラケット側第２係合部３３のボス挿入孔３６に差し込む。そして、板部１９上に突出しているねじ軸部３５の部分に座付ナット等のナット３７を螺合させて締め付けることにより、箱体１０の第２張出部２１の下面がブラケット側第２係合部３３の上面に当接し、そして板部１９の下面がブラケット側第１係合部３２の上面に当接した状態で、ねじ軸部３５を介して板部１９がブラケット側第１係合部３２に固定され、これにより箱体１０がブラケット３０に固定される。
【００２８】
図３に示されるように、上記箱体固定構造の変形例では、ボス２２の先端部に半球形状のロック用つば部２３が形成されている。このボス２２のロック用つば部２３は、ブラケット側第２係合部３３のボス挿入孔３６に差し込まれ且つ、ブラケット側第２係合部３３のボス挿入孔３６を画成するブラケット側第２係合部３３の周辺部分の下面に係止される。この箱体固定構造の変形例における他の部位は、図１および図２に示される構成と同様である。
【００２９】
図４に示されるように箱体１０をブラケット３０に固定するに際しては、箱体側第１係合部１４のねじ軸部挿入孔２０にブラケット側第１係合部３２のねじ軸部３５を挿入しながら、ロック用つば部２３がブラケット側第２係合部３３のボス挿入孔３６を通ってブラケット側第２係合部３３の裏面（下面）に係止されるまでボス２２をボス挿入孔３６に差し込む。そして、板部１９上に突出しているねじ軸部３５の部分に座付ナット等のナット３７を螺合させて締め付けることにより、箱体１０の第２張出部２１の下面がブラケット側第２係合部３３の上面に当接し、そして板部１９の下面がブラケット側第１係合部３２の上面に当接した状態で、ねじ軸部３５を介して板部１９がブラケット側第１係合部３２に固定され、これにより箱体１０がブラケット３０に固定される。
【００３０】
上記構成の箱体固定構造によれば、ブラケット３０が、ブラケット側第１係合部３２と、ブラケット側第２係合部３３と、を備え、箱体１０が、ブラケット側第１係合部３２と係合方向に係合する箱体側第１係合部１４と、前述した係合方向にブラケット側第２係合部３３と係合する箱体側第２係合部１５と、を備え、そしてブラケット側第１係合部３２と箱体側第１係合部１４とが係合した位置と、ブラケット側第２係合部３３と箱体側第２係合部１５とが係合した位置とが、縦方向に上下にずれるとともに横方向に左右にずれて段差状になっており、箱体１０が単一の係合方向にブラケット３０に組み付けられるので、作業性が良好である。
【００３１】
また、上記構成の箱体固定構造によれば、上述の係合方向が箱体１０から下方に向う方向であるので、箱体１０を上から見ながらでもブラケット３０に取り付け易い。また、上述の係合方向を箱体１０の重力方向に設定すれば、単純に落とし込むだけの箱体１０の組付けを行なうこともできる。
【００３２】
また、上記構成の箱体固定構造では、箱体１０が、上下左右にずれた２箇所でブラケット３０により支持され、これにより縦方向と横方向の動きを抑制されるので、ブラケット３０による箱体１０の確実な固定を実現することができる。また、上記構成の箱体固定構造によれば、箱体１０に収納される電気部品、特に端子により電気的接続する部品へ振動による負荷がかかり難くなるため、電気部品の支障を回避することができる。
【００３３】
また、上記構成の箱体固定構造によれば、ブラケット側第１係合部３２と箱体側第１係合部１４とが面接触した位置と、ブラケット側第２係合部３３と箱体側第２係合部１５とが面接触した位置とが、縦方向に上下にずれるとともに横方向に左右にずれて段差状になっているので、ブラケット３０による箱体１０の安定した固定を実現することができる。
【００３４】
また、上記構成の箱体固定構造によれば、互いに平行に延長するねじ軸部３５とボス２２を箱体側第１係合部１４のねじ軸部挿入孔２０とブラケット側第２係合部３３のボス挿入孔３６にそれぞれ挿入することによりブラケット側第１係合部３２と箱体側第１係合部１４とが係合されるとともにブラケット側第２係合部３３と箱体側第２係合部１５とが係合され、更にねじ軸部３５にナットを螺合させて締め付けることにより箱体１０がブラケット３０に固定されるので、簡単な作業で確実な固定を実現することができる。
【００３５】
尚、係合したブラケット側第１係合部３２および箱体側第１係合部１４が、係合したブラケット側第２係合部３３および箱体側第２係合部１５よりも上に配置され、そして箱体側第１係合部１４のねじ軸部挿入孔２０を通って箱体側第１係合部１４から上方に突出したブラケット側第１係合部３２のねじ軸部３５が設けられた本発明の箱体固定構造には、ナット３７をねじ軸部３５に螺合させ易くする作用がある。また、図１〜図４に示されるように、ねじ軸部３５の突出高さよりもボス２２の突出高さが小さければ、箱体側第１係合部１４のねじ軸部挿入孔２０にねじ軸部３５を挿入した後、ボス２２をブラケット側第２係合部３３のボス挿入孔３６に差し込み易いので、好ましい。
【００３６】
また、上記構成の箱体固定構造では、ボス２２の先端部にロック用つば部２３が形成されており、このボス２２のロック用つば部２３が、ブラケット側第２係合部３３のボス挿入孔３６に差し込まれ且つ、ブラケット側第２係合部３３のボス挿入孔３６を画成するブラケット側第２係合部３３の周辺部分の下面に係止されるので、ブラケット３０に対して箱体１０を仮固定することができる。よって、作業性を更に向上させることができる。
【００３７】
尚、例えば、ボス２２のロック用つば部２３がブラケット側第２係合部３３に係止される際に例えば『カチッ。』という音がするように構成すれば、音によりロック確認ができる。また、ボス２２のロック用つば部２３をブラケット側第２係合部３３に係止した後、箱体１０を引っ張り上げてロック確認をしてもよい。
【００３８】
さて、ここで、本発明の更なる優位性を説明するため、図５および図６に参考例を示す。
【００３９】
図５に示される参考例では、箱体４０に板部４１が突出形成され、この板部４１にねじ軸部挿入孔４２が貫通形成されている。そして、ブラケット６０に支片６１が突出形成されており、この支片６１の上面にねじ軸部６２が突出形成されている。
【００４０】
この箱体固定構造では、図６に示されるように、箱体４０の板部４１のねじ軸部挿入孔４２にブラケット６０のねじ軸部６２を差し込んだ後、ナット６３をねじ軸部６２に螺合させて締め付けることにより、板部４１がブラケット６０の支片６１に当接した状態で、箱体４０がブラケット６０に固定される。
【００４１】
しかし、このような箱体固定構造では、箱体４０がブラケット６０に対して、板部４１が片持ち状に支持される１箇所のみで固定されるため、縦方向（即ち、上下）と横方向（即ち、左右）の応力に弱く、そしてそれ故、ブラケット６０に対する箱体４０のガタツキや位置ずれが生じ易く、強固な箱体固定構造を実現することが難しい。
【００４２】
これに対して、図１〜図４に示されるような本発明の箱体固定構造は、上述したとおり、簡単な作業で強固な固定を実現できる。
【００４３】
尚、本発明は、上述した実施形態ならびにその変形例に限定されるものではなく、適宜、変形、改良、等が可能である。その他、上述した実施形態ならびにその変形例における各構成要素の材質、形状、寸法、数値、形態、数、配置箇所、等は本発明を達成できるものであれば任意であり、限定されない。
【００４４】
例えば、箱体側第１係合部が上述の係合方向に突出したねじ軸部を有し、そしてブラケット側第１係合部がねじ軸部挿入孔を有する形態であってもよい。
【００４５】
また、例えば、箱体側第２係合部がボス挿入孔を有し、そしてブラケット側第２係合部が上述の係合方向とは反対の方向に突出するボスを有する形態であってもよい。
【図面の簡単な説明】
【００４６】
【図１】本発明に係る箱体固定構造の一実施形態の分解斜視図である（但し、要部を見易くするため箱体の一部が破断して示されている。）。
【図２】図１に示した箱体固定構造の組付状態での縦断面図である（但し、要部を見易くするため箱体の一部が破断して示されている。）。
【図３】図１の箱体固定構造の変形例の分解斜視図である（但し、要部を見易くするため箱体の一部が破断して示されている。）。
【図４】図３に示した箱体固定構造の変形例の組付状態での縦断面図である（但し、要部を見易くするため箱体の一部が破断して示されている。）。
【図５】箱体固定構造の参考例の分解斜視図である。
【図６】図５に示した箱体固定構造の参考例の組付状態での縦断面図である。
【符号の説明】
【００４７】
１０  箱体
１４  箱体側第１係合部
１５  箱体側第２係合部
２０  ねじ軸部挿入孔
２２  ボス
３０  ブラケット
３２  ブラケット側第１係合部
３３  ブラケット側第２係合部
３５  ねじ軸部
３６  ボス挿入孔
３７  ナット
【図１】
0004708144.tif 000002
【図２】
0004708144.tif 000003
【図３】
0004708144.tif 000004
【図４】
0004708144.tif 000005
【図５】
0004708144.tif 000006
【図６】
0004708144.tif 000007